(57)【要約】【課題】経済性と保温性能を両立させる簡易温室を提供することである。【解決手段】上記課題を解決するため、本発明の簡易温室Ｇは、上下に配置される一対の枠状部材１，２と枠状部材１，２同士を連結する縦支柱３ａ，３ａ，３ｂ，３ｂとを有するフレーム４と、フレーム４に被せられフレーム４の側面内外を被覆するとともに縁部側が下側の枠状部材２に固定されるシート５と、を備えた温室本体６と、温室本体６の上方開口部を開閉可能な枠状扉７と、当該枠状扉７の表裏を被覆する扉シート８とを備えた。【選択図】図１
2009095240.tif 000002
【特許請求の範囲】
【請求項１】
上下に配置される一対の枠状部材と枠状部材同士を連結する縦支柱とを有するフレームと、フレームに被せられフレームの側面内外を被覆するとともに縁部側が下側の枠状部材に固定されるシートと、を備えた温室本体と、温室本体の上方開口部を開閉可能な枠状扉と、当該枠状扉の表裏を被覆する扉シートとを備えたことを特徴とする簡易温室。
【請求項２】
シートは、フレームに上方から被せられフレームの側面内外および底部を被覆するとともに縁部側が下側の枠状部材に固定されることにより容器を形成することを特徴とする請求項１に記載の簡易温室。
【請求項３】
シートとともにフレームの下側の枠状部材を抱持する抱持部材を備え、当該抱持部材によってシートがフレームに固定されることを特徴とする請求項１または３に記載の簡易温室。
【請求項４】
扉シートは、袋状に形成されて枠状扉を内部に収容して枠状扉の表裏を覆い、扉シートにおける開口端がフレームに固定される蟻溝フレーム内挿入されるとともに、当該蟻溝フレーム内に収容される弾性部材によって蟻溝フレームに向けて附勢されることで蟻溝フレームに固定されることを特徴とする請求項１から３のいずれかに記載の簡易温室。
【請求項５】
枠状部材は矩形とされ、上方側の枠状部材は一辺が当該一辺に対向する反対側辺より下方に配置されて傾斜姿勢で下側の枠状部材に取付けられてなり、枠状扉は上方側の枠状部材の反対側辺にヒンジ結合されることを特徴とする請求項１から４のいずれかに記載の簡易温室。
【発明の詳細な説明】
【技術分野】
【０００１】
本発明は、簡易温室に関する。
【背景技術】
【０００２】
従来、この種の簡易温室にあっては、前後の枠体と、前後の枠体の縦支柱同士を連結する連結桿とで構成した構造体と、構造体を覆う樹脂フィルムとを備えたものがある（たとえば、特許文献１参照）。
【０００３】
この簡易温室は、強固であって収納時にスペースを取らないので便利であるが、保温性能が低く、特に、温室としての機能を発揮すべき冬季では、昼間と夜間とで簡易温室内で温度差が激しくなり、当該簡易温室内で栽培される植物に悪影響を与えてしまう虞がある。
【０００４】
そこで、このような弊害を除去するために、簡易温室内に暖房装置を設ける提案があり、たとえば、簡易温室の底部に電熱線等の発熱体を備えたシートを敷き、温室内の保温を行うようにしている（たとえば、特許文献２参照）。
【特許文献１】特開２００１−３３３６４８号公報（図１）
【特許文献２】特開平９−７４９２２号公報（図１）
【発明の開示】
【発明が解決しようとする課題】
【０００５】
このように、従来の簡易温室にあっては、保温性を重視する場合には、温室内に何かしらの暖房設備を設けなくてはならず、そうすると、簡易温室がコスト高となるとともに暖房設備は電気その他のエネルギを消費するのでランニングコストも嵩むことになって経済性の点で不利となる。
【０００６】
そうかと言って、暖房設備を設けないと特許文献１の簡易温室のように昼間と夜間とで簡易温室内で温度差が激しくなり、植物に悪影響を与えてしまうことになる。
【０００７】
すなわち、従来の簡易温室では、保温性能を求めると経済性の点で不利が生じ、保温性能を無視すると冬季にあっても植物を育成させるという簡易温室としての根源的な機能を損なうことなり、従来の簡易温室では、経済性と保温性能の両立が困難であった。
【０００８】
そこで、本発明の目的は、経済性と保温性能を両立させる簡易温室を提供することである。
【課題を解決するための手段】
【０００９】
本発明の第１の課題解決手段における簡易温室は、上下に配置される一対の枠状部材と枠状部材同士を連結する縦支柱とを有するフレームと、フレームに被せられフレームの側面内外を被覆するとともに縁部側が下側の枠状部材に固定されるシートと、を備えた温室本体と、温室本体の上方開口部を開閉可能な枠状扉と、当該枠状扉の表裏を被覆する扉シートとを備えたことを特徴とする。
【００１０】
第２の課題解決手段における簡易温室は、第１の課題解決手段において、シートは、フレームに上方から被せられフレームの側面内外および底部を被覆するとともに縁部側が下側の枠状部材に固定されることにより容器を形成することを特徴とする。
【００１１】
第３の課題解決手段に簡易温室は、第１または第２の課題解決手段において、シートとともにフレームの下側の枠状部材を抱持する抱持部材を備え、当該抱持部材によってシートがフレームに固定されることを特徴とする。
【００１２】
第４の課題解決手段における簡易温室は、第１から第３の課題解決手段において、扉シートは、袋状に形成されて枠状扉を内部に収容して枠状扉の表裏を覆い、扉シートにおける開口端がフレームに固定される蟻溝フレーム内挿入されるとともに、当該蟻溝フレーム内に収容される弾性部材によって蟻溝フレームに向けて附勢されることで蟻溝フレームに固定されることを特徴とする。
【００１３】
第５の課題解決手段における簡易温室は、第１から第４の課題解決手段において、枠状部材は矩形とされ、上方側の枠状部材は一辺が一辺に対向する反対側辺より下方に配置されて傾斜姿勢で下側の枠状部材に取付けられてなり、枠状扉は上方側の枠状部材の反対側辺にヒンジ結合されることを特徴とする。
【発明の効果】
【００１４】
各請求項の発明によれば、フレームの側部外周と、温室本体の上方開口部を覆う枠状扉に、断熱効果を奏する空気層が形成されるため、冬季夜間にあってもまた、昼間に熱せられた温室内の気体の温度低下を抑制することができ、暖房設備がなくとも、温室内を保温することができるのである。
【００１５】
したがって、簡易温室内に暖房設備を設けなくとも高い保温性能を発揮することができ、安価であるとともにランニングコストも殆どかからないので、経済性と保温性能を両立することができる。
【００１６】
また、フレームの側部外周と、温室本体の上方開口部を覆う枠状扉に、断熱効果を奏する空気層が形成されるため、温室に必要な保温性能を発揮するとともに、昼間と夜間とで簡易温室内の温度差が激しくなるような事態を回避することができ、植物の育成に最適となる。
【００１７】
そして、請求項２の発明によれば、シートがフレームに被せられて容器を形成し、フレームの側部外周に空気層を形成するだけでなくフレームの底部をもシートで被覆するので、簡易温室内が地面からの湿気から守られ、より効果的に保温できるとともに、温室本体内に収容される鉢植え等を簡易温室の定着用の重石として利用することができる。
【００１８】
さらに、請求項３および４の発明によれば、上記効果に加えて、簡易温室の組立を簡易とすることができ、請求項５の発明によれば、簡易温室の作業者が温室本体の上方開口部のうち低い辺側から簡易温室内に収容される植物の手入れや水遣り、掃除等の作業を行うことができるようになるので、作業者の負担を軽減することができる。
【発明を実施するための最良の形態】
【００１９】
以下、本発明を図に基づいて説明する。図１は、本発明の一実施の形態における簡易温室の斜視図である。図２（Ａ）は、一実施の形態の簡易温室におけるフレームの正面側斜視図である。図２（Ｂ）は、一実施の形態の簡易温室におけるフレームの背面側斜視図である。図３（Ａ）は、一実施の形態の簡易温室におけるフレームにシートを取付ける作業行程を示す図である。図３（Ｂ）は、一実施の形態の簡易温室におけるフレームにシートを被せた状態を示す図である。図３（Ｃ）は、一実施の形態の簡易温室におけるフレームにシートを固定する作業行程を示す図である。図４は、本発明の一実施の形態における簡易温室の断面図である。図５は、一実施の形態の簡易温室のフレーム底部部分における一部拡大断面図である。図６（Ａ）は、一実施の形態の簡易温室における枠状扉に扉シートを取付ける作業行程を示す図である。図６（Ｂ）は、一実施の形態の簡易温室における枠状扉に扉シートを被せた状態を示す図である。図６（Ｃ）は、一実施の形態の簡易温室における扉シートをフレームに固定する作業行程を示す図である。図７は、一実施の形態の簡易温室における背面の一部拡大斜視図である。図８（Ａ）は、一実施の形態の変形例の簡易温室における枠状扉に扉シートを取付ける作業行程を示す図である。図８（Ｂ）は、一実施の形態の変形例の簡易温室における枠状扉に扉シートを被せた状態を示す図である。図８（Ｃ）は、一実施の形態の変形例の簡易温室における扉シートをフレームに固定する作業行程を示す図である。図９は、本発明の一実施の形態における簡易温室に防虫ネットを取付けた状態を示す斜視図である。図１０（Ａ）は、一実施の形態の一変形例の簡易温室におけるフレームにシートを取付ける作業行程を示す図である。図１０（Ｂ）は、一実施の形態の一変形例の簡易温室におけるフレームにシートを被せた状態を示す図である。図１０（Ｃ）は、一実施の形態の一変形例の簡易温室におけるフレームにシートを固定する行程を示す図である。
【００２０】
本発明の一実施の形態における簡易温室Ｇは、図１に示すように、上下に配置される一対の枠状部材１，２と枠状部材１，２同士を連結する縦支柱３ａ，３ａ，３ｂ，３ｂとを有するフレーム４と、フレーム４に上方から被せられフレーム４の側面内外および底部を被覆するとともに縁部５ａ側が下側の枠状部材２に固定されることにより容器を形成するシート５と、を備えた温室本体６と、温室本体６の上方開口部を開閉可能な枠状扉７と、当該枠状扉７の表裏を被覆する扉シート８とを備えて構成されている。
【００２１】
以下、詳細に説明すると、フレーム４は、図１および図２に示すように、矩形の枠状部材１，２と、各枠状部材１，２を連結する四つの縦支柱３ａ，３ａ，３ｂ，３ｂと、縦支柱３ａ，３ａ，３ｂ，３ｂに対して枠状部材１，２の短辺間のそれぞれに斜めに架け渡される斜材９と、背面側の縦支柱３ｂ，３ｂ間に横架される蟻溝フレーム１２と、を備えて構成されており、図１中手前側の縦支柱３ａ，３ａは背面側の縦支柱３ｂ，３ｂより短く設定され、上方側に配置される枠状部材１の一辺となる図１中手前側の辺１ａが、当該辺１ａに対向する反対側辺１ｂより下方に配置されて傾斜姿勢で下側の枠状部材２に取付けられている。
【００２２】
また、枠状扉７は、枠状部材１と同じ形状とされて、その一辺が枠状部材１の反対側辺１ｂにヒンジ継手１０，１０を介して取付けられており、枠状部材１に対して揺動可能とされている。
【００２３】
なお、斜材９，９は、温室本体６の強度を向上するために設けられているが、縦支柱３ａ，３ａ，３ｂ，３ｂのみで充分に強度確保できるのであればこれを省略することもでき、さらに、縦支柱３ａ，３ａ，３ｂ，３ｂの本数は図示したところでは四つであるが、強度確保の点で問題が無ければ、四つに限定されるものではない。
【００２４】
つづいて、シート５は、フレーム４内に挿入されるとともに縁部５ａ側でフレーム４の側面外周を覆ってフレーム４の側面内外および底部を被覆するようになっている。
【００２５】
詳しくは、シート５は、図３（Ａ）に示すように、まず、上方からフレーム４に被せられ、その後、図３（Ｂ）に示すように、フレーム４内に配置される部位が下方へ押し込まれて袋様とされるとともに、シート５の縁部５ａ側でフレーム４の外周側部の四面を覆うようにして、フレーム４と協働して容器を形成する。このようにすることで、一枚のシート５でフレーム４の側面内側と側面外側と底部を被覆することができる。
【００２６】
そうしておいてから、図３（Ｃ）に示すように、抱持部材１１をシート５の縁部５ａの外側から枠状部材２に取付けることで、シート５が枠状部材２とともに当該抱持部材１１によって抱持され枠状部材２に固定される。
【００２７】
この抱持部材１１は、詳しくは、弾性を備えて軸方向に沿う割りを持った筒状の部材であり、フレーム４の下側の枠状部材２に上記割りを当接させて押圧することで割りの幅を広げて抱持部材１１内に枠状部材２を侵入せしめ、枠状部材２の侵入後に抱持部材１１の割りの幅が復元することで枠状部材２を抱持することができるようになっている。
【００２８】
この場合、抱持部材１１は、枠状部材２の短辺で２つ、長辺３つを用いてシート５を枠状部材２に固定しているが、その数は任意である。
【００２９】
このようにシート５をフレーム４に被せることで、簡易温室Ｇを地上に設置した際に、図４に示すように、フレーム４の底部側がシート５で地面からの湿気から守られるとともに、シート５が二重となってシート５間に空気層が形成されるフレーム４の側部側では断熱効果を得ることができる容器が形成される。
【００３０】
また、下側に配置される枠状部材２にシート５を固定するので、フレーム４の側部に完全密閉状態までとは行かないものの断熱効果を得るのに充分な空気層を確実に形成できる。
【００３１】
なお、シート５が大きく枠状部材２に固定された状態で縁部５ａが余るように設定しておけば、図５に示すように、当該縁部５ａを底部側へ托しこんで、よりフレーム４の外周に形成される空気層の密閉度合を高めることができ断熱効果も高くなる。さらに、このようにすることで、縁部５ａの余剰部分でフレーム４底部の全面を覆うことができるようにしておけば、底部にも断熱効果を奏する空気層を形成することも可能となる。
【００３２】
また、シート５は、上記したところでは、平面的なシートとされているが、これを袋状に形成し、上記した要領でフレーム４の側部の内外を覆ってフレーム４の側部に空気層を形成するようにしてもよい。
【００３３】
転じて、扉シート８は袋状に形成され、枠状扉７を扉シート８で被覆するには、図６（Ａ）に示すように、まず、枠状扉７をヒンジ結合される辺とは反対側から扉シート８の内部に収容して枠状扉７の表裏を覆うようにする。扉シート８における枠状扉７の挿入方向の長さは、枠状扉７の挿入方向長さより長く設定されており、扉シート８内に枠状扉７を完全に収容した状態では、扉シート８の開口端がだぶつく状態となる。
【００３４】
そして、図６（Ｂ）に示すように、そのだぶついた扉シート８の開口端をフレーム４の背面に引き出し、当該両端をフレーム４の背面側に設置される蟻溝フレーム１２の蟻溝１２ａ内に挿入する。
【００３５】
この蟻溝フレーム１２は、図７に示すように、鳩尾状の開口部巾狭の蟻溝１２ａを備えたフレームであって、図６（Ｃ）および図７に示すように、当該蟻溝１２ａ内に扉シート８の開口端を挿入した状態で、当該扉シート８の上から波型バネ状の弾性部材１３を挿入すると、当該弾性部材１３によって扉シート８の開口端が蟻溝１２ａの側壁へと附勢され、扉シート８の開口端は蟻溝フレーム１２に固定される。なお、この扉シート８に蟻溝フレーム１２を固定する際には、シート５のフレーム４の外周側を覆う部位も扉シート８とともに蟻溝１２ａ内に挿入され、弾性部材１３によって扉シート８のみならずシート５も蟻溝フレーム１２に固定され、シート５は強固にフレーム４に固定される。
【００３６】
このように、扉シート８の開口端が蟻溝フレーム１２に固定されると、枠状扉７を内部に収容した状態に維持でき、扉シート８の枠状扉７およびフレーム４からの脱落が確実に阻止される。
【００３７】
そして、扉シート８が枠状扉７に取付けられると、扉シート８は枠状扉７の表裏を被覆して枠状扉７に空気層を形成するので、断熱効果を得ることができる。
【００３８】
すなわち、この簡易温室Ｇにあっては、少なくともフレーム４の側部外周と、温室本体６の上方開口部を覆う枠状扉７に、断熱効果を奏する空気層が形成されるため、冬季夜間にあってもまた、昼間に熱せられた温室内の気体の温度低下を抑制することができ、暖房設備がなくとも、温室内を保温することができるのである。
【００３９】
したがって、この簡易温室Ｇによれば、温室内に暖房設備を設けなくとも高い保温性能を発揮することができ、安価であるとともにランニングコストも殆どかからないので、経済性と保温性能を両立することができる。
【００４０】
また、フレーム４の側部外周と、温室本体６の上方開口部を覆う枠状扉７に、断熱効果を奏する空気層が形成されるため、温室に必要な保温性能を発揮するとともに、昼間と夜間とで簡易温室Ｇ内の温度差が激しくなるような事態を回避することができ、植物の育成に最適となる。
【００４１】
また、上記したように、フレーム４へのシート５の被覆および枠状扉７への袋状に形成された扉シート８の被覆は非常に簡単であり、抱持部材１１、弾性部材１３をはめ込むのみでシート５および扉シート８の定着を終了することができ、組立も簡易である。
【００４２】
なお、扉シート８は、上記したところでは、袋状とされているが、袋状とされずとも、図８に示すように、平らな扉シート１４で枠状扉７をヒンジ結合される辺とは反対側から挟み込んで、上記した扉シート８の定着の時と同じ要領で枠状扉７のヒンジ結合側の辺から扉シート１４の両端を手繰りよせて蟻溝フレーム１２内に挿入するとともに弾性部材１３で固定する。そして、この場合、扉シート１４における枠状扉７の短辺側が開口される状態となるので、この開口部位を抱持部材１１で枠状扉７の短辺に固定して空気層の密閉度合を高めておけば良い。
【００４３】
また、この簡易温室Ｇ内の温度管理のために、枠状扉７を上方側へ回動させて温室本体６の上方開口部を開放状態とする場合には、図１に示すように、枠状部材１と枠状扉７との間に支持棒１５を介装するようにすれば良く、このとき、簡易温室Ｇ内への害虫の侵入を防止したい場合には、図９に示すように、温室本体６の上方開口部に防虫ネット１６を被せておくと良い。なお、防虫ネット１６は、上記した抱持部材１１で上方の枠状部材１に固定すると良い。
【００４４】
さらに、上方側の枠状部材１は辺１ａが反対側辺１ｂより下方に配置されて傾斜姿勢で下側の枠状部材２に取付けられるとともに、枠状扉７が上方側の枠状部材１の反対側辺１ｂにヒンジ結合されるので、簡易温室Ｇの作業者は温室本体６の上方開口部のうち低い辺１ａ側から簡易温室Ｇ内に収容される植物の手入れや水遣り、掃除等の作業を行うことができるようになり、作業者の負担を軽減することができる。
【００４５】
なお、上記したところでは、シート５でフレーム４の底部をも覆って、地面からの湿気を断つようにしているが、保温効果を得るのみで湿気の遮断が必要無ければ、図１０に示すように、シート２０を、上端が閉塞される二重筒状に形成して、フレーム４の側部の内外を覆ってフレーム４の側部に空気層を形成するようにしてもよい。シート２０のフレーム４への定着に際しては、シート２０の内周側の下端をフレーム４の下方の枠状部材２の外側に巻き付けるようにし、シート２０の外周側の下端をフレーム４の下方の枠状部材２の内側に巻き付けるようにし、シート２０の内周側と外周側を枠状部材２に巻きつけた状態で、その上から抱持部材１１を枠状部材２に取付けて定着させれば良い。
【００４６】
そして、この場合にも、フレーム４の側部にシート２０が二重になって覆うことになって暖房設備を設けなくとも高い保温性能を発揮することができる。また、この場合、フレーム４の底部はシート２０では覆われないので、温室本体６を耕地に据え付けるだけで耕地に植えられる植物を冷気から保護することができる。
【００４７】
また、フレーム４における枠状部材１，２は、矩形以外の形状とされてもよく、また、それぞれ、複数の部材を連結することで枠状部材１，２を構成するようにしても良い。すなわち、枠状部材１，２に置ける枠状との表現は、組立てた結果枠状となっていれば足りる趣旨である。
【００４８】
以上で、本発明の実施の形態についての説明を終えるが、本発明の範囲は図示されまたは説明された詳細そのものには限定されないことは勿論である。
【図面の簡単な説明】
【００４９】
【図１】本発明の一実施の形態における簡易温室の斜視図である。
【図２】（Ａ）は、一実施の形態の簡易温室におけるフレームの正面側斜視図である。（Ｂ）は、一実施の形態の簡易温室におけるフレームの背面側斜視図である。
【図３】（Ａ）は、一実施の形態の簡易温室におけるフレームにシートを取付ける作業行程を示す図である。（Ｂ）は、一実施の形態の簡易温室におけるフレームにシートを被せた状態を示す図である。（Ｃ）は、一実施の形態の簡易温室におけるフレームにシートを固定する行程を示す図である。
【図４】本発明の一実施の形態における簡易温室の断面図である。
【図５】一実施の形態の簡易温室のフレーム底部部分における一部拡大断面図である。
【図６】（Ａ）は、一実施の形態の簡易温室における枠状扉に扉シートを取付ける作業行程を示す図である。（Ｂ）は、一実施の形態の簡易温室における枠状扉に扉シートを被せた状態を示す図である。（Ｃ）は、一実施の形態の簡易温室における扉シートをフレームに固定する行程を示す図である。
【図７】一実施の形態の簡易温室における背面の一部拡大斜視図である。
【図８】（Ａ）は、一実施の形態の変形例の簡易温室における枠状扉に扉シートを取付ける作業行程を示す図である。（Ｂ）は、一実施の形態の変形例の簡易温室における枠状扉に扉シートを被せた状態を示す図である。（Ｃ）は、一実施の形態の変形例の簡易温室における扉シートをフレームに固定する行程を示す図である。
【図９】本発明の一実施の形態における簡易温室に防虫ネットを取付けた状態を示す斜視図である。
【図１０】（Ａ）は、一実施の形態の一変形例の簡易温室におけるフレームにシートを取付ける作業行程を示す図である。（Ｂ）は、一実施の形態の一変形例の簡易温室におけるフレームにシートを被せた状態を示す図である。（Ｃ）は、一実施の形態の一変形例の簡易温室におけるフレームにシートを固定する行程を示す図である。
【符号の説明】
【００５０】
１，２  枠状部材
１ａ  枠状部材における一辺
１ｂ  枠状部材における反対側辺
３ａ，３ａ，３ｂ，３ｂ  縦支柱
４  フレーム
５  シート
５ａ  シートの縁部
６  温室本体
７  枠状扉
８，１４  扉シート
９  斜材
１０  ヒンジ継手
１１  抱持部材
１２  蟻溝フレーム
１２ａ  蟻溝
１３  弾性部材
１５  支持棒
１６  防虫ネット
Ｇ  簡易温室
【図１】
2009095240.tif 000003
【図２】
2009095240.tif 000004
【図３】
2009095240.tif 000005
【図４】
2009095240.tif 000006
【図５】
2009095240.tif 000007
【図６】
2009095240.tif 000008
【図７】
2009095240.tif 000009
【図８】
2009095240.tif 000010
【図９】
2009095240.tif 000011
【図１０】
2009095240.tif 000012